【手続補正書】
【提出日】平成19年2月2日(2007.2.2)
【手続補正１】
【補正対象書類名】特許請求の範囲
【補正対象項目名】請求項１
【補正方法】変更
【補正の内容】
【請求項１】
交換可能に備えられ、インクを内部に貯留する第１のインクカートリッジと、
交換可能に備えられ、前記第１のインクカートリッジ内部に貯留するインクと同色のインクを内部に貯留する第２のインクカートリッジと、
記録媒体に対して、前記第１のインクカートリッジ又は前記第２のインクカートリッジの何れか一方から供給されるインクを吐出して画像形成を行う記録ヘッドと、
前記第１のインクカートリッジ又は前記第２のインクカートリッジが交換されたか否かを判断する判断手段と、
前記第１のインクカートリッジ又は前記第２のインクカートリッジのうち使用中のインクカートリッジのインク残量が所定量以下であることを検出するインク残量検出手段と、
前記記録ヘッドに対するインク供給を、前記第１のインクカートリッジ又は前記第２のインクカートリッジに切替える切替手段と、
記録動作中に前記インク残量検出手段が前記第１のインクカートリッジにおけるインク残量が所定量以下であると検出した場合に、前記切替手段により前記記録ヘッドに対するインク供給を前記第２のインクカートリッジに切替える制御を行う制御手段と、を備えるインクジェット記録装置であって、
前記制御手段は、記録動作中に前記判断手段によって前記第１のインクカートリッジが交換されたと判断された場合に、前記切替手段により前記記録ヘッドに対するインク供給を第２のインクカートリッジから交換された第１のインクカートリッジに切替えるとともに、前記インク残量検出手段により交換された第１のインクカートリッジのインク残量検出を行うよう制御し、
前記インク残量検出手段により、交換された第１のインクカートリッジのインク残量が所定量以下であると検出された場合に、当該インク残量情報を報知する報知手段を備えることを特徴とするインクジェット記録装置。
【手続補正２】
【補正対象書類名】特許請求の範囲
【補正対象項目名】請求項２
【補正方法】変更
【補正の内容】
【請求項２】
交換可能に備えられ、インクを内部に貯留する第１のインクカートリッジと、
交換可能に備えられ、前記第１のインクカートリッジ内部に貯留するインクと同色のインクを内部に貯留する第２のインクカートリッジと、
記録媒体に対して、前記第１のインクカートリッジ又は前記第２のインクカートリッジの何れか一方から供給されるインクを吐出して画像形成を行う記録ヘッドと、
前記第１のインクカートリッジ又は前記第２のインクカートリッジと前記記録ヘッドとの間に配置され、前記第１のインクカートリッジ又は前記第２のインクカートリッジのうち使用中のインクカートリッジに貯留されたインクを一時的に貯留し、そのインク貯留量に応じて容積が変化するように変形可能な中間タンクと、
前記第１のインクカートリッジ又は前記第２のインクカートリッジが交換されたか否かを判断する判断手段と、
前記第１のインクカートリッジ又は前記第２のインクカートリッジのうち使用中のインクカートリッジのインク残量を前記中間タンクの膨らみ具合に基づいて検出するインク残量検出手段と、
前記記録ヘッドに対するインク供給を、前記第１のインクカートリッジ又は前記第２のインクカートリッジに切替える切替手段と、
記録動作中に前記インク残量検出手段が前記第１のインクカートリッジにおけるインク残量が所定量以下であると検出した場合に、前記切替手段により前記記録ヘッドに対するインク供給を前記第２のインクカートリッジに切替える制御を行う制御手段と、を備えるインクジェット記録装置であって、
前記制御手段は、記録動作中に前記判断手段によって前記第１のインクカートリッジが交換されたと判断された場合に、前記切替手段により前記記録ヘッドに対するインク供給を第２のインクカートリッジから交換された第１のインクカートリッジに切替えるとともに、前記インク残量検出手段により交換された第１のインクカートリッジのインク残量検出を行うよう制御し、
前記インク残量検出手段により、交換された第１のインクカートリッジのインク残量が所定量以下であると検出された場合に、当該インク残量情報を報知する報知手段を備えることを特徴とするインクジェット記録装置。
【手続補正３】
【補正対象書類名】特許請求の範囲
【補正対象項目名】請求項５
【補正方法】変更
【補正の内容】
【請求項５】
交換可能に備えられ、同色のインクを内部に貯留する複数のインクカートリッジと、
記録媒体に対して、前記各インクカートリッジから供給されるインクを吐出して画像形成を行う記録ヘッドと、
前記インクカートリッジと前記記録ヘッドとの間に配置され、前記各インクカートリッジのうち使用中のインクカートリッジに貯留されたインクを一時的に貯留し、そのインク貯留量に応じて容積が変化するように変形可能な１つの中間タンクと、
前記各インクカートリッジが交換されたか否かを判断する判断手段と、
前記各インクカートリッジのうち使用中のインクカートリッジのインク残量を前記中間タンクの膨らみ具合に基づいて検出するインク残量検出手段と、
前記記録ヘッドに供給されるインクの前記インクカートリッジを切替える切替手段と、
記録動作中に前記インク残量検出手段が前記１つのインクカートリッジにおけるインク残量が所定量以下であると検出した場合に、前記切替手段により前記記録ヘッドに対するインク供給を前記他のインクカートリッジに切替える制御を行う制御手段と、を備えるインクジェット記録装置であって、
前記制御手段は、記録動作中に前記判断手段によって前記１つのインクカートリッジが交換されたと判断された場合に、前記切替手段により前記記録ヘッドに対するインク供給を他のインクカートリッジから交換された後の前記インクカートリッジに切替えるとともに、前記インク残量検出手段により交換された後のインクカートリッジのインク残量検出を行うよう制御し、
前記インク残量検出手段により、交換された後のインクカートリッジのインク残量が所定量以下であると検出された場合に、警告を行う報知手段を備えることを特徴とするインクジェット記録装置。
【手続補正４】
【補正対象書類名】明細書
【補正対象項目名】０００６
【補正方法】変更
【補正の内容】
【０００６】
上記課題を解決するために、請求項１記載の発明は、
交換可能に備えられ、インクを内部に貯留する第１のインクカートリッジと、
交換可能に備えられ、前記第１のインクカートリッジ内部に貯留するインクと同色のインクを内部に貯留する第２のインクカートリッジと、
記録媒体に対して、前記第１のインクカートリッジ又は前記第２のインクカートリッジの何れか一方から供給されるインクを吐出して画像形成を行う記録ヘッドと、
前記第１のインクカートリッジ又は前記第２のインクカートリッジが交換されたか否かを判断する判断手段と、
前記第１のインクカートリッジ又は前記第２のインクカートリッジのうち使用中のインクカートリッジのインク残量が所定量以下であることを検出するインク残量検出手段と、
前記記録ヘッドに対するインク供給を、前記第１のインクカートリッジ又は前記第２のインクカートリッジに切替える切替手段と、
記録動作中に前記インク残量検出手段が前記第１のインクカートリッジにおけるインク残量が所定量以下であると検出した場合に、前記切替手段により前記記録ヘッドに対するインク供給を前記第２のインクカートリッジに切替える制御を行う制御手段と、を備えるインクジェット記録装置であって、
前記制御手段は、記録動作中に前記判断手段によって前記第１のインクカートリッジが交換されたと判断された場合に、前記切替手段により前記記録ヘッドに対するインク供給を第２のインクカートリッジから交換された第１のインクカートリッジに切替えるとともに、前記インク残量検出手段により交換された第１のインクカートリッジのインク残量検出を行うよう制御し、
前記インク残量検出手段により、交換された第１のインクカートリッジのインク残量が所定量以下であると検出された場合に、当該インク残量情報を報知する報知手段を備えることを特徴とする。
【手続補正５】
【補正対象書類名】明細書
【補正対象項目名】０００７
【補正方法】変更
【補正の内容】
【０００７】
請求項２記載の発明は、
交換可能に備えられ、インクを内部に貯留する第１のインクカートリッジと、
交換可能に備えられ、前記第１のインクカートリッジ内部に貯留するインクと同色のインクを内部に貯留する第２のインクカートリッジと、
記録媒体に対して、前記第１のインクカートリッジ又は前記第２のインクカートリッジの何れか一方から供給されるインクを吐出して画像形成を行う記録ヘッドと、
前記第１のインクカートリッジ又は前記第２のインクカートリッジと前記記録ヘッドとの間に配置され、前記第１のインクカートリッジ又は前記第２のインクカートリッジのうち使用中のインクカートリッジに貯留されたインクを一時的に貯留し、そのインク貯留量に応じて容積が変化するように変形可能な中間タンクと、
前記第１のインクカートリッジ又は前記第２のインクカートリッジが交換されたか否かを判断する判断手段と、
前記第１のインクカートリッジ又は前記第２のインクカートリッジのうち使用中のインクカートリッジのインク残量を前記中間タンクの膨らみ具合に基づいて検出するインク残量検出手段と、
前記記録ヘッドに対するインク供給を、前記第１のインクカートリッジ又は前記第２のインクカートリッジに切替える切替手段と、
記録動作中に前記インク残量検出手段が前記第１のインクカートリッジにおけるインク残量が所定量以下であると検出した場合に、前記切替手段により前記記録ヘッドに対するインク供給を前記第２のインクカートリッジに切替える制御を行う制御手段と、を備えるインクジェット記録装置であって、
前記制御手段は、記録動作中に前記判断手段によって前記第１のインクカートリッジが交換されたと判断された場合に、前記切替手段により前記記録ヘッドに対するインク供給を第２のインクカートリッジから交換された第１のインクカートリッジに切替えるとともに、前記インク残量検出手段により交換された第１のインクカートリッジのインク残量検出を行うよう制御し、
前記インク残量検出手段により、交換された第１のインクカートリッジのインク残量が所定量以下であると検出された場合に、当該インク残量情報を報知する報知手段を備えることを特徴とする。
【手続補正６】
【補正対象書類名】明細書
【補正対象項目名】００１０
【補正方法】変更
【補正の内容】
【００１０】
請求項５記載の発明は、
交換可能に備えられ、同色のインクを内部に貯留する複数のインクカートリッジと、
記録媒体に対して、前記各インクカートリッジから供給されるインクを吐出して画像形成を行う記録ヘッドと、
前記インクカートリッジと前記記録ヘッドとの間に配置され、前記各インクカートリッジのうち使用中のインクカートリッジに貯留されたインクを一時的に貯留し、そのインク貯留量に応じて容積が変化するように変形可能な１つの中間タンクと、
前記各インクカートリッジが交換されたか否かを判断する判断手段と、
前記各インクカートリッジのうち使用中のインクカートリッジのインク残量を前記中間タンクの膨らみ具合に基づいて検出するインク残量検出手段と、
前記記録ヘッドに供給されるインクの前記インクカートリッジを切替える切替手段と、
記録動作中に前記インク残量検出手段が前記１つのインクカートリッジにおけるインク残量が所定量以下であると検出した場合に、前記切替手段により前記記録ヘッドに対するインク供給を前記他のインクカートリッジに切替える制御を行う制御手段と、を備えるインクジェット記録装置であって、
前記制御手段は、記録動作中に前記判断手段によって前記１つのインクカートリッジが交換されたと判断された場合に、前記切替手段により前記記録ヘッドに対するインク供給を他のインクカートリッジから交換された後の前記インクカートリッジに切替えるとともに、前記インク残量検出手段により交換された後のインクカートリッジのインク残量検出を行うよう制御し、
前記インク残量検出手段により、交換された後のインクカートリッジのインク残量が所定量以下であると検出された場合に、警告を行う報知手段を備えることを特徴とする。